(57)【要約】【課題】圧縮機のガス流路を流れるガスの騒音を消音部材により低減する場合に、消音部材にヘルムホルツ共鳴器を構成して消音効果を十分に得る。【解決手段】スクロール圧縮機（２０）の固定スクロール（２１）上面に凹部（５２）を形成する。吐出孔（５４）を凹部（５２）の底面に開口させる。凹部（５２）を消音部材（６０）により閉塞し、凹部（５２）内の吐出ガスを密閉容器（１０）内へ流入させる貫通孔（６１）を消音部材（６０）に形成する。消音部材（６０）及び凹部（５２）により吐出ガス流路（５６）を構成する。消音部材（６０）を下側の内側層（６２）と上側の外側層（６３）とからなるものとする。内側層（６２）をパンチングメタルにより構成し、外側層（６３）を発泡金属により構成する。外側層（６３）の第１空孔に内側層（６２）の第２空孔を接続して吐出ガス流路（５６）に開口するヘルムホルツ共鳴器（６４）を構成する。【選択図】      図１
2004360630.tif 000002
【特許請求の範囲】
【請求項１】
圧縮室（２６）へガスを吸入して圧縮する圧縮機構（２０）と、
前記圧縮室（２６）に連通するガス流路（５６）に臨むように設けられ、該ガス流路（５６）を流れるガスの騒音を低減する消音部材（６０）とを備え、
前記消音部材（６０）は多孔質材料から構成されており、
前記消音部材（６０）の内部には第１空孔（６３ａ）が多数形成される一方、消音部材（６０）のガス流路（５６）に臨む面側には、前記第１空孔（６３ａ）よりも小さくかつ該第１空孔（６３ａ）と前記ガス流路（５６）とを連通させる第２空孔（６２ａ）が多数形成されていることを特徴とする圧縮機。
【請求項２】
請求項１において、
消音部材（６０）は、ガス流路（５６）に臨む面側及びその反対側にそれぞれ位置する内側層（６２）及び外側層（６３）を有し、
前記外側層（６３）には第１空孔（６３ａ）が形成される一方、前記内側層（６２）には第２空孔（６２ａ）が形成されていることを特徴とする圧縮機。
【請求項３】
請求項２において、
消音部材（６０）の内側層（６２）及び外側層（６３）は別部材により構成されていることを特徴とする圧縮機。
【請求項４】
請求項２または３において、
消音部材（６０）の外側層（６３）は発泡金属から構成されていることを特徴とする圧縮機。
【請求項５】
請求項２〜４のいずれか１つにおいて、
消音部材（６０）の内側層（６２）はパンチングメタルから構成されていることを特徴とする圧縮機。
【請求項６】
請求項２〜５のいずれか１つにおいて、
圧縮機構（２０）は回転圧縮機構であり、
消音部材（６０）は、前記圧縮機構（２０）の圧縮室（２６）からの吐出ガスが流れる吐出ガス流路（５６）に臨むように設けられていることを特徴とする圧縮機。
【請求項７】
請求項６において、
圧縮機構（２０）は密閉容器（１０）に収容され、該密閉容器（１０）には、吸入ガスを導入する吸入管（１１）と吐出ガスを導出する吐出管（１２）とが接続され、
前記圧縮機構（２０）の吐出ガス流路（５６）が前記密閉容器（１０）の内部空間に連通する一方、前記圧縮機構（２０）の圧縮室（２６）に連通する吸入ガス流路（５０）が前記吸入管（１１）に接続され、
消音部材（６０）は、その内側層（６２）が前記吐出ガス流路（５６）に臨みかつ外側層（６３）が前記密閉容器（１０）の内部空間に臨むように設けられていることを特徴とする圧縮機。
【請求項８】
請求項６において、
圧縮機構（２０）は密閉容器（１０）に収容され、該密閉容器（１０）には、吸入ガスを導入する吸入管（１１）と吐出ガスを導出する吐出管（１２）とが接続され、
前記圧縮機構（２０）には、圧縮室（２６）に連通する吸入ガス流路（５０）が設けられ、
前記密閉容器（１０）の内部空間は、前記圧縮機構（２０）の吸入ガス流路（５０）及び前記吸入管（１１）が開口する低圧室（３Ｌ）と、前記圧縮機構（２０）の吐出ガス流路（５６）及び前記吐出管（１２）が開口する高圧室（４）とに仕切られ、
消音部材（６０）は、その内側層（６２）が吐出ガス流路（５６）に臨んだ状態で該吐出ガス流路（５６）と前記密閉容器（１０）の低圧室（３Ｌ）とを仕切るように設けられ、
前記消音部材（６０）の外側層（６３）の外面はカバー部材（７０）により覆われていることを特徴とする圧縮機。
【請求項９】
請求項８において、
消音部材（６０）の外側層（６３）とカバー部材（７０）との間には空間（７１）が設けられ、該空間（７１）は密閉容器（１０）の高圧室（４）と連通していることを特徴とする圧縮機。
【発明の詳細な説明】
【０００１】
【発明の属する技術分野】
本発明は、例えば冷凍サイクルの冷媒圧縮行程を行う圧縮機に関し、特に、吸入ガスや吐出ガスの圧力脈動により発生する騒音を低減する構造の技術分野に属する。
【０００２】
【従来の技術】
従来より、圧縮機構及び該圧縮機構を駆動する電動機を密閉容器に収容した圧縮機がある（例えば、特許文献１参照）。この圧縮機では、圧縮室に吸入ガスを導くための吸入ガス流路が吸入管により構成されている。
【０００３】
また、一般に、圧縮機構の運転時には、吸入行程が終った後も吸入ガスが慣性力により圧縮室側へ流れ続ける。このため、吸入ガス流路を流れる吸入ガスに圧力脈動が起こり騒音が発生する。
【０００４】
この圧力脈動に起因する騒音の対策として、前記特許文献１の圧縮機では、吸入管にその内外を連通する孔部を形成し、この吸入管の孔部形成箇所に該吸入管の外周面を囲むように筒状に形成された消音部材を配設している。この消音部材は多孔質材料から構成されている。このため、吸入ガス流路を流れる吸入ガスに圧力脈動が起こると、その吸入ガスの一部が吸入管の孔部及び消音部材の多数の空孔を流れて吸入管の外部に流出する。その結果、圧力脈動が小さくなり、騒音が低減される。
【０００５】
【特許文献１】
特開平５―２５６２５９号公報
【０００６】
【発明が解決しようとする課題】
ところが、前記特許文献１の圧縮機のように吸入ガス流路の吸入ガスを外部に流出させるようにしただけでは、圧力脈動に起因する騒音の音エネルギは十分に低減されず、消音効果が十分でない。
【０００７】
本発明は斯かる点に鑑みてなされたものであり、その目的とするところは、ある閉鎖された空間とこの空間に接続される比較的小さい孔部とから構成される共鳴器、即ちヘルムホルツ共鳴器で音を共鳴させることにより音エネルギが熱エネルギに変換されて音エネルギが減少することに着目し、消音部材にヘルムホルツ共鳴器を構成して消音効果を十分に得ることにある。
【０００８】
【課題を解決するための手段】
前記目的を達成するために、本発明では、消音部材の内部に第１空孔を形成し、ガス流路に臨む面側に、第１空孔とガス流路とを連通させる比較的小さい第２空孔を形成するようにした。
【０００９】
具体的には、請求項１の発明では、圧縮室（２６）へガスを吸入して圧縮する圧縮機構（２０）と、前記圧縮室（２６）に連通するガス流路（５６）に臨むように設けられ、該ガス流路（５６）を流れるガスの騒音を低減する消音部材（６０）とを備え、前記消音部材（６０）を多孔質材料から構成し、前記消音部材（６０）の内部には第１空孔（６３ａ）を多数形成する一方、消音部材（６０）のガス流路（５６）に臨む面側には、前記第１空孔（６３ａ）よりも小さくかつ該第１空孔（６３ａ）と前記ガス流路（５６）とを連通させる第２空孔（６２ａ）を多数形成する構成とする。
【００１０】
この発明によれば、第１空孔（６３ａ）が第２空孔（６２ａ）によりガス流路（５６）と連通し、これら両空孔（６３ａ），（６２ａ）により、ガス流路（５６）へ開口するヘルムホルツ共鳴器（６４）が消音部材（６０）に多数構成される。そして、圧縮機の運転中には、ガス流路（５６）を流れるガスが、ヘルムホルツ共鳴器（６４）を構成する第２空孔（６２ａ）及び第１空孔（６３ａ）へ流れて両空孔（６２ａ），（６３ａ）がガスにより満たされる。このとき、例えば、前記ガス流路（５６）を流れるガスに圧力脈動が起こって騒音が発生すると、その音波が第１及び第２空孔（６３ａ），（６２ａ）を満たしたガスを介してこれら両空孔（６３ａ），（６２ａ）へ侵入して共鳴する。その結果、ガスの騒音の音エネルギが熱エネルギに変換され、音エネルギが減少する。
【００１１】
請求項２の発明では、請求項１の発明において、消音部材（６０）は、ガス流路（５６）に臨む面側及びその反対側にそれぞれ位置する内側層（６２）及び外側層（６３）を有し、前記外側層（６３）には第１空孔（６３ａ）を形成する一方、前記内側層（６２）には第２空孔（６２ａ）を形成する構成とする。
【００１２】
この構成によれば、外側層（６３）の第１空孔（６３ａ）が内側層（６２）の第２空孔（６２ａ）に接続され、ガス流路（５６）へ開口するヘルムホルツ共鳴器（６４）が構成される。ガス流路（５６）を流れるガスの騒音の音波が内側層（６２）及び外側層（６３）の空孔（６２ａ），（６３ａ）へ侵入して共鳴し、音エネルギが減少する。
【００１３】
請求項３の発明では、請求項２の発明において、消音部材（６０）の内側層（６２）及び外側層（６３）を別部材により構成する。
【００１４】
この構成によれば、内側層（６２）及び外側層（６３）を別々に形成した後、重ね合わせることによりヘルムホルツ共鳴器（６４）を有する消音部材（６０）が得られる。
【００１５】
請求項４の発明では、請求項２または３の発明において、消音部材（６０）の外側層（６３）を発泡金属から構成する。
【００１６】
この構成によれば、一般に、発泡金属に形成される空孔の大きさは不均一であるため、外側層（６３）の各第１空孔（６３ａ）の内容積は互いに異なることとなる。従って、消音部材（６０）に大きさの異なるヘルムホルツ共鳴器（６４）が構成されるので、周波数の異なる音波が対応するヘルムホルツ共鳴器（６４）でそれぞれ共鳴して熱エネルギに変換され、音エネルギが減少する。
【００１７】
請求項５の発明では、請求項２〜４のいずれか１つの発明において、消音部材（６０）の内側層（６２）をパンチングメタルから構成する。
【００１８】
この構成によれば、比較的安価なパンチングメタルから内側層（６２）が構成される。
【００１９】
請求項６の発明では、請求項２〜５のいずれか１つの発明において、圧縮機構（２０）は回転圧縮機構（２０）であり、消音部材（６０）を前記圧縮機構（２０）の圧縮室（２６）からの吐出ガスが流れる吐出ガス流路（５６）に臨むように設ける構成とする。
【００２０】
この構成によれば、圧縮機の運転中には、圧縮室（２６）からの吐出ガスが周期的に吐出ガス流路（５６）に吐出される。このため、吐出ガス流路（５６）を流れる吐出ガスに圧力脈動が起こり騒音が発生する。この騒音の音エネルギが消音部材（６０）のヘルムホルツ共鳴器（６４）により熱エネルギに変換されて減少する。
【００２１】
請求項７の発明では、請求項６の発明において、圧縮機構（２０）を密閉容器（１０）に収容し、該密閉容器（１０）には、吸入ガスを導入する吸入管（１１）と吐出ガスを導出する吐出管（１２）とを接続し、前記圧縮機構（２０）の吐出ガス流路（５６）を前記密閉容器（１０）の内部空間に連通させる一方、前記圧縮機構（２０）の圧縮室（２６）に連通する吸入ガス流路（５０）を前記吸入管（１１）に接続し、消音部材（６０）を、その内側層（６２）が前記吐出ガス流路（５６）に臨みかつ外側層（６３）が前記密閉容器（１０）の内部空間に臨むように設ける構成とする。
【００２２】
この構成によれば、吸入ガスが密閉容器（１０）の外部から吸入管（１１）及び吸入ガス流路（５０）を流れて圧縮室（２６）に吸入される。一方、吐出ガスは吐出ガス流路（５６）を流れて密閉容器（１０）の内部空間に吐出された後、吐出管（１２）を流れて密閉容器（１０）の外部へ導出される。吐出ガスが吐出ガス流路（５６）を流れる際には、消音部材（６０）により騒音の音エネルギが減少する。加えて、消音部材（６０）が多孔質材料からなるため、吐出ガス流路（５６）を流れる吐出ガスの一部は、消音部材（６０）の内側層（６２）から外側層（６３）を通過し、密閉容器（１０）の内部空間に洩れる。この吐出ガスが消音部材（６０）から密閉容器（１０）の内部空間に洩れるときに膨張するため、消音部材（６０）に膨張作用による消音効果が付加される。
【００２３】
請求項８の発明では、請求項６の発明において、圧縮機構（２０）を密閉容器（１０）に収容し、該密閉容器（１０）には、吸入ガスを導入する吸入管（１１）と吐出ガスを導出する吐出管（１２）とを接続し、前記圧縮機構（２０）には、圧縮室（２６）に連通する吸入ガス流路（５０）を設け、前記密閉容器（１０）の内部空間を、前記圧縮機構（２０）の吸入ガス流路（５０）及び前記吸入管（１１）が開口する低圧室（３Ｌ）と、前記圧縮機構（２０）の吐出ガス流路（５６）及び前記吐出管（１２）が開口する高圧室（４）とに仕切り、消音部材（６０）を、その内側層（６２）が吐出ガス流路（５６）に臨んだ状態で該吐出ガス流路（５６）と前記密閉容器（１０）の低圧室（３Ｌ）とを仕切るように設け、前記消音部材（６０）の外側層（６３）の外面をカバー部材（７０）により覆う構成とする。
【００２４】
この構成によれば、吸入ガスは吸入管（１１）を流れて密閉容器（１０）の低圧室（３Ｌ）に導入され、該低圧室（３Ｌ）は吸入ガスにより満たされる。この低圧室（３Ｌ）の吸入ガスが吸入ガス流路（５０）を流れて圧縮室（２６）に吸入される。一方、吐出ガスは圧縮室（２６）から吐出ガス流路（５６）を流れて密閉容器（１０）の高圧室（４）に吐出され、該高圧室（４）は吐出ガスにより満たされる。この高圧室（４）の吐出ガスが吐出管（１２）を流れて密閉容器（１０）の外部に導出される。
【００２５】
また、吐出ガスが吐出ガス流路（５６）を流れる際、消音部材（６０）により騒音の音エネルギが減少する。この吐出ガス流路（５６）の吐出ガスの一部は、消音部材（６０）の内側層（６２）及び外側層（６３）を通過して該外側層（６３）の外面に達する。このとき、カバー部材（７０）により吐出ガスが密閉容器（１０）の低圧室（３Ｌ）へ洩れ出すのが防止される。
【００２６】
請求項９の発明では、請求項８の発明において、消音部材（６０）の外側層（６３）とカバー部材（７０）との間には空間（７１）を設け、該空間（７１）は密閉容器（１０）の高圧室（４）と連通している構成とする。
【００２７】
この構成によれば、吐出ガス流路（５６）の吐出ガスの一部が消音部材（６０）を通過して外側層（６３）とカバー部材（７０）との間の空間（７１）に流れる。この空間（７１）に流れた吐出ガスは密閉容器（１０）の高圧室（４）へ流れる。従って、消音部材（６０）の空孔（６２ａ），（６３ａ）に冷凍機油が浸入した場合に、該冷凍機油が吐出ガスの流れにより密閉容器（１０）の高圧室（４）に導かれる。
【００２８】
【発明の実施の形態】
以下、本発明の実施形態を図面に基づいて説明する。
【００２９】
図１は、本発明をスクロール圧縮機（１）に適用した実施形態を示す。この圧縮機（１）は空気調和装置の冷凍サイクルにおいて冷媒圧縮行程を行うものである。
【００３０】
前記圧縮機（１）は、いわゆる全密閉型に構成されている。この圧縮機（１）は、上下方向に長い円筒形の密閉容器（１０）を備えている。密閉容器（１０）の内部には、上から順に圧縮機構（２０）及び電動機（３０）が配置されており、電動機（３０）は駆動軸（３１）により圧縮機構（２０）に連結されている。また、密閉容器（１０）の内部の電動機（３０）よりも下側には、駆動軸（３１）の下端部を支持する下部軸受部材（２）が配置されている。
【００３１】
密閉容器（１０）の内部空間は、圧縮機構（２０）の固定スクロール（２１）及び後述のフレーム部材（２２）によって上下に仕切られている。この密閉容器（１０）の内部空間は、固定スクロール（２１）よりも上方の空間が第１室（３）となり、その下方の空間が第２室（４）となっている。尚、第２室（４）の下部には冷凍機油が貯留されている。
【００３２】
密閉容器（１０）の上側鏡板の外周側には、該上側鏡板を貫通して上下方向に延びる吸入管（１１）が取り付けられている。この吸入管（１１）により密閉空間（１０）内に吸入ガスが導入される。一方、密閉容器（１０）の胴部には、固定スクロール（２１）よりも下側で胴部を貫通して該胴部の径方向に延びる吐出管（１２）が取り付けられている。該吐出管（１２）は密閉容器（１０）の第２室（４）に開口しており、この吐出管（１２）により密閉容器（１０）内の吐出ガスが外部に導出される。また、密閉容器（１０）の胴部には、電動機（３０）に給電するためのターミナル（１３）が取り付けられている。
【００３３】
駆動軸（３１）は、密閉容器（１０）の下側鏡板近傍から上方へ延びる主軸部（３１ａ）と、この主軸部（３１ａ）の上端面に突設された偏心部（３１ｂ）とを備えている。この偏心部（３１ｂ）は主軸部（３１ａ）よりも小径の円柱状となっており、その軸心が主軸部（３１ａ）の軸心に対して偏心している。
【００３４】
駆動軸（３１）の主軸部（３１ａ）は、圧縮機構（２０）のフレーム部材（２２）を貫通している。この主軸部（３１ａ）の上端部は、軸受（４０）を介してフレーム部材（２２）に支持されている。一方、下部軸受部材（２）は密閉容器（１０）の胴部内面に固定されている。駆動軸（３１）の主軸部（３１ａ）の下端部は、下部軸受部材（２）を貫通しており、この主軸部（３１ａ）の下端部は軸受（４１）を介して下部軸受部材（２）に支持されている。
【００３５】
電動機（３０）は、固定子（３２）と回転子（３３）とによって構成されている。固定子（３２）は、円筒形に形成されて、密閉容器（１０）の胴部内側に嵌め込まれて固定されている。回転子（３３）は、固定子（３２）の内側に挿入されている。回転子（３３）の中心孔（３３ａ）には、駆動軸（３１）の主軸部（３１ａ）が挿入されて固定されている。
【００３６】
圧縮機構（２０）は、固定スクロール（２１）やフレーム部材（２２）の他に、これら固定スクロール（２１）及びフレーム部材（２２）の間に配置される可動スクロール（２３）とオルダムリング（２４）とを備えている。固定スクロール（２１）及びフレーム部材（２２）の外周面は、密閉容器（１０）の胴部内周面全周に亘って密着するように形成され、この胴部内側に嵌め込まれて固定されている。
【００３７】
可動スクロール（２３）は、円板状に形成された可動側平板部（２３ａ）を備えている。この可動側平板部（２３ａ）の上面には可動側ラップ（２３ｂ）が上方へ突設されている。可動側平板部（２３ａ）の下面には、下方へ突出する円筒状の突出部（２３ｃ）が形成されている。該突出部（２３ｃ）は可動側平板部（２３ａ）の略中央に位置している。この突出部（２３ｃ）の内側には駆動軸（３１）の偏心部（３１ｂ）が挿入されており、突出部（２３ｃ）の内周面と偏心部（３１ｂ）の外周面とが摺接するようになっている。また、可動側ラップ（２３ｂ）は、巻始め部が駆動軸（３１）の主軸部（３１ａ）の軸線近傍に位置付けられている。この可動側ラップ（２３ｂ）は、平面視でインボリュート曲線を描く渦巻き状で、かつ高さが一定の壁状に形成されている。
【００３８】
可動スクロール（２３）は、オルダムリング（２４）を介してフレーム部材（２２）の上に載置されている。オルダムリング（２４）の上面及び下面には、図示しないが、一対のキーがそれぞれ形成されている。オルダムリング（２４）の上側のキーが可動スクロール（２３）の可動側平板部（２３ａ）に係合し、下側のキーがフレーム部材（２２）に係合している。可動スクロール（２３）は、このオルダムリング（２４）により自転運動が規制されて公転運動だけを行う。
【００３９】
固定スクロール（２１）は、厚肉な円板状に形成された固定側平板部（２１ａ）を備えている。該固定側平板部（２１ａ）の下面外周側には、厚肉な周壁（２１ｂ）が下方へ突設されている。また、固定側平板部（２１ａ）の下面の周壁（２１ｂ）内側には、可動側ラップ（２３ｂ）と同様な渦巻き壁状の固定側ラップ（２１ｃ）が下方へ突設されている。固定側ラップ（２１ｃ）は、可動側ラップ（２３ｂ）に噛合するように構成されている。そして、固定スクロール（２１）はフレーム部材（２２）に固定されており、この圧縮機構（２０）には、前記可動側ラップ（２３ｂ）、固定側ラップ（２１ｃ）、可動側平板部（２３ａ）の上面及び固定側平板部（２１ａ）の下面に囲まれた圧縮室（２６）が形成される。
【００４０】
尚、図示しないが、この圧縮機（１）には、給油ポンプが設けられている。この給油ポンプにより、第２室（４）に貯留された冷凍機油が駆動軸（３１）の軸受面や両スクロール（２１），（２３）の摺動面等に供給されるようになっている。
【００４１】
固定スクロール（２１）の外周側には、吸入ガス流路（５０）が形成されている。この吸入ガス流路（５０）は、固定側平板部（２１ａ）の上面に開口して該開口から下方へ延び、下側が周壁（２１ｂ）に形成されて圧縮室（２６）に連通している。吸入ガス流路（５０）の上側には、吸入管（１１）の下側が挿入されている。また、固定スクロール（２１）及びフレーム部材（２２）の吸入ガス流路（５０）と反対側には、第１室（３）と第２室（４）とを連通させる連通路（５１）が形成されている。この連通路（５１）は、固定側平板部（２１ａ）の上面に開口して該開口から下方へ延び、周壁（２１ｂ）及びフレーム部材（２２）を貫通して形成されている。
【００４２】
図２に仮想線で示すように、固定側平板部（２１ａ）の上面には、横断面が円形状の凹部（５２）が形成されている。この凹部（５２）は、その中心が駆動軸（３１）の主軸部（３１ａ）の軸線上に位置している。凹部（５２）の底面は、略平坦に形成されている。該凹部（５２）の底面の中心部には、圧縮室（２６）の吐出ガスが吐出する吐出孔（５４）が固定側平板部（２１ａ）を貫通するように形成されている。
【００４３】
凹部（５２）の上端開口は、円板状に形成された消音部材（６０）により閉塞されている。すなわち、この消音部材（６０）により凹部（５２）の内部と密閉容器（１０）の第１室（３）とが仕切られており、凹部（５２）の底面、該凹部（５２）の内周面及び消音部材（６０）の下面により囲まれた部分には、吐出ガス流路（５６）が形成されている。
【００４４】
凹部（５２）の底面には、吐出ガス流路（５６）の形状を設定するための縦板部材（５７）が立設されている。該縦板部材（５７）の上端縁は、固定側平板部（２１ａ）の上面と略同一面上に位置付けられていて、消音部材（６０）の下面に接している。縦板部材（５７）は、吐出孔（５４）を囲むように円弧状に延びる円弧状部（５７ａ）を備えている。この円弧状部（５７ａ）は、平面視で吐出孔（５４）の外周の約３／４の範囲を囲むように形成されている。従って、円弧状部（５７ａ）の周方向の一端と他端との間には隙間が形成されている。また、この縦板部材（５７）は、円弧状部（５７ａ）の周方向一端部から凹部（５２）の内周面まで直線状に延びる平坦部（５７ｂ）を備えている。
【００４５】
前記消音部材（６０）の外周側には上下方向に延びる貫通孔（６１）が形成されている。この貫通孔（６１）は、平面視で縦板部材（５７）の平坦部（５７ｂ）を挟んで円弧状部（５７ａ）の隙間と反対側に位置している。そして、凹部（５２）の底面の吐出孔（５４）から吐出された吐出ガスは、図２に矢印で示すように、円弧状部（５７ａ）の隙間から径方向外側へ流れた後、円弧状部（５７ａ）の外側をその周面に沿って流れる。この吐出ガスが平坦部（５７ｂ）まで流れると、その流れが上向きとなって消音部材（６０）の貫通孔（６１）を流れて密閉容器（１０）の第１室（３）へ流出する。そして、前記第１室（３）へ流出した吐出ガスは、連通路（５１）を流れて第２室（４）へ流入し、吐出管（１２）から密閉容器（１０）の外部へ導出される。
【００４６】
つまり、この圧縮機（１）は、圧縮機構（２０）の吸入ガス流路（５０）に吸入管（１１）を接続する一方、吐出ガス流路（５６）を密閉容器（１０）の内部空間に連通させた、いわゆる高圧ドーム型に構成されている。
【００４７】
前記消音部材（６０）は、吐出ガス流路（５６）側、即ち下側に位置する内側層（６２）と、その反対側、即ち上側に位置する外側層（６３）とからなる２層構造とされている。図３に示すように、外側層（６３）は発泡金属から構成される一方、内側層（６２）は外側層（６３）よりも薄いパンチングメタルから構成されており、これら両部材が一体的に接合されている。外側層（６３）の発泡金属は、例えばアルミニウムを用いて製造された周知のものであり、大きさや形状が異なる多数の第１空孔（６３ａ）を有している。これら第１空孔（６３ａ）の一部は内側層（６２）との境界面に開口している。一方、パンチングメタルは、多数の小さい貫通孔を金属製の薄板材に金型により打ち抜き加工して得られるものである。これら貫通孔により内側層（６２）の第２空孔（６２ａ）が構成されている。また、この内側層（６２）の第２空孔（６２ａ）の大きさは、前記外側層（６３）の第１空孔（６３ａ）の平均的な大きさよりも小さく設定されている。従って、内側層（６２）の第２空孔（６２ａ）の開口は、外側層（６３）の大部分の第１空孔（６３ａ）の開口よりも小さくなる。
【００４８】
そして、内側層（６２）を外側層（６３）に接合させると、内側層（６２）の第２空孔（６２ａ）の開口と外側層（６３）の第１空孔（６３ａ）の開口とが重なる部分ができる。この内側層（６２）及び外側層（６３）の空孔（６２ａ），（６３ａ）の開口が重なった部分では、外側層（６３）の第１空孔（６３ａ）が内側層（６２）の第２空孔（６２ａ）を介して吐出ガス流路（５６）と連通する。つまり、内側層（６２）及び外側層（６３）の空孔（６２ａ），（６３ａ）により、吐出ガス流路（５６）に開口するヘルムホルツ共鳴器（６４）が構成される。
【００４９】
前記のように構成された圧縮機（１）では、電動機（３０）が起動して駆動軸（３１）が回転すると、可動スクロール（２３）が固定スクロール（２１）に対して公転運動を行う。この可動スクロール（２３）の公転運動に伴って、圧縮室（２６）の容積が周期的に増減する。圧縮室（２６）の容積が増大すると、吸入管（１１）から導入された吸入ガスが吸入ガス流路（５０）を流れて圧縮室（２６）に吸い込まれる。圧縮室（２６）に吸い込まれた吸入ガスは圧縮室（２６）の容積が減少することにより、圧縮され、吐出孔（５４）から吐出ガス流路（５６）へ吐出される。この吐出ガス流路（５６）を流れた吐出ガスは、消音部材（６０）の貫通孔（６１）から密閉容器（１０）の第１室（３）に流入して該第１室（３）が吐出ガスにより満たされる。この第１室（３）の吐出ガスは連通路（５１）から第２室（４）へ流れ込み、この第２室（４）も吐出ガスにより満たされる。そして、この第２室（４）の吐出ガスは吐出管（１２）から密閉容器（１０）の外部に導出される。
【００５０】
−実施形態の効果−
圧縮機（１）の運転中には、消音部材（６０）の内側層（６２）及び外側層（６３）の空孔（６２ａ），（６３ａ）が、吐出ガス流路（５６）を流れる吐出ガスにより満たされる。また、吐出ガスが吐出孔（５４）から周期的に吐出されるため、吐出ガス流路（５６）を流れる吐出ガスに圧力脈動が起こり、この圧力脈動に起因して騒音が発生する。
【００５１】
このとき、消音部材（６０）の内側層（６２）が吐出ガス流路（５６）に臨んでいるため、騒音の音波が吐出ガスを介して内側層（６２）の第２空孔（６２ａ）から外側層（６３）の第１空孔（６３ａ）へ侵入する。そして、これら空孔（６２ａ），（６３ａ）により構成されたヘルムホルツ共鳴器（６４）で共鳴し、音エネルギが熱エネルギに変換される。その結果、音エネルギが減少するので、消音効果が十分に得られて騒音を低減できる。
【００５２】
また、消音部材（６０）の外側層（６３）が発泡金属から構成されているため、吐出ガス流路（５６）の吐出ガスが内側層（６２）の第２空孔（６２ａ）から外側層（６３）の第１空孔（６３ａ）を通って第１室（３）へ洩れる。この吐出ガスが外側層（６３）の第１空孔（６３ａ）から第１室（３）へ洩れるときには膨張する。従って、消音部材（６０）に膨張作用による消音効果が付加され、よって、騒音をより一層低減できる。
【００５３】
また、外側層（６３）が発泡金属から構成されていて第１空孔（６３ａ）の内容積が互いに異なっているため、消音部材（６０）に大きさの異なるヘルムホルツ共鳴器（６４）を容易に構成できる。そして、周波数の異なる音波が対応するヘルムホルツ共鳴器（６４）でそれぞれ共鳴して熱エネルギに変換される。これにより、幅広い周波数帯域の騒音を低減できる。
【００５４】
また、消音部材（６０）の内側層（６２）及び外側層（６３）は、共に耐熱性を有する金属材料から構成されているので、消音部材（６０）が、例えば１００℃くらいの高温の吐出ガスに曝されても損傷することはない。このため、安定した消音性能を長期間に亘り得ることができる。さらに、内側層（６２）が比較的安価なパンチングメタルから構成されているので、消音部材（６０）のコストを低廉化できる。
【００５５】
また、消音部材（６０）は、空孔（６２ａ），（６３ａ）の大きさが異なる内側層（６２）及び外側層（６３）を別々に形成した後に重ね合わせて一体化される。このため、内側層（６２）及び外側層（６３）で空孔（６２ａ），（６３ａ）の大きさが異なる消音部材（６０）を容易に形成することができる。
【００５６】
また、縦板部材（５７）により吐出孔（５４）から第１室（３）までの吐出ガス流路（５６）が長く確保され、消音部材（６０）がこの吐出ガス流路（５６）に臨むように配設されている。このため、騒音をより効果的に低減できる。
【００５７】
尚、消音部材（６０）の内側層（６２）及び外側層（６３）を構成する材料として、この実施形態以外のものを用いることも可能である。例えば、内側層（６２）の材料として、発泡金属、粉末焼結体、繊維焼結体等を用いてもよい。また、外側層（６３）の材料として、蜂の巣形状のアルミニウム箔材とアルミニウム表面材とをシート状接着材により接合してなる、いわゆるハニカムパネルや、例えばチタンの精錬途中に得られるスポンジチタン等のスポンジ金属を用いてもよい。さらに、内側層（６２）及び外側層（６３）を同じ材料により構成してもよく、この場合、内側層（６２）及び外側層（６３）を一体成形することもできる。さらにまた、消音部材（６０）を一層構造にしてもよい。この場合、消音部材（６０）の内部に比較的大きい第１空孔を形成し、吐出ガス流路（５６）側に第２空孔を形成して、該第２空孔により第１空孔と吐出ガス流路（５６）とを連通させるようにする。
【００５８】
（他の実施形態）
本発明は前記実施形態に限定されるものではなく、その他の種々の実施形態を包含するものである。すなわち、前記実施形態では、本発明を高圧ドーム型の密閉型圧縮機（１）に適用した場合について説明したが、これに限らず、図４に示すように、圧縮機構（２０）の吸入ガス流路（５０）及び吸入管（１１）を密閉容器（１０）の低圧室としての第１室（３Ｌ）に連通させる一方、吐出ガス流路（５６）及び吐出管（１２）を密閉容器（１０）の高圧室としての第２室（４）に連通させた高低圧ドーム型の密閉型圧縮機（１）に適用することもできる。以下、この実施形態について、前記実施形態と同一の部分には同一の符号を付し、異なる部分を説明する。
【００５９】
具体的には、この実施形態では、吸入管（１１）の下側が吸入ガス流路（５０）に挿入されておらず、第１室（３Ｌ）に開口している。また、凹部（５２）の内部と第２室（４）とが、固定スクロール（２１）及びフレーム部材（２２）に形成された連通路（５１）により連通している。この連通路（５１）は、凹部（５２）の内周面に開口してこの開口から固定側平板部（２１ａ）及び周壁（２１ｂ）を外周側へ延びた後、フレーム部材（２２）を下方へ貫通して形成されている。
【００６０】
また、消音部材（６０）の外面は、金属製の板材を成形してなるカバー部材（７０）により覆われている。このカバー部材（７０）には、消音部材（６０）の外形状と概ね一致する窪み（７０ａ）が形成されている。消音部材（６０）は、カバー部材（７０）の窪み（７０ａ）に嵌め込まれて固定されていて、この消音部材（６０）が窪み（７０ａ）に嵌め込まれた状態で、消音部材（６０）の外面は窪み（７０ａ）の内面に接触している。
【００６１】
この実施形態では、圧縮機（１）が運転を開始すると、吸入管（１１）から導入された吸入ガスにより第１室（３Ｌ）が満たされる。この第１室（３Ｌ）の吸入ガスは吸入ガス流路（５０）を流れて圧縮室（２６）に吸い込まれる。一方、吐出孔（５４）からの吐出ガスは、吐出ガス流路（５６）及び連通路（５１）を順に流れて第２室（４）へ流入し、この第２室（４）が吐出ガスにより満たされる。第２室（４）の吐出ガスは、吐出管（１２）から密閉容器（１０）の外部に導出される。
【００６２】
この圧縮機（１）の運転中には、吐出ガス流路（５６）の吐出ガスが消音部材（６０）の外側層（６３）及び内側層（６２）を流れて外側層（６３）の外面に達する。この外側層（６３）の外面に達した吐出ガスはカバー部材（７０）により相対的に低圧な第１室（３Ｌ）に洩れるのが防止される。また、この実施形態においても、前記実施形態と同様に、吐出ガス流路（５６）の吐出ガスに圧力脈動が起こり騒音が発生するが、消音部材（６０）により騒音の音エネルギが減少し、よって、騒音を低減できる。
【００６３】
つまり、この実施形態では、従来例の圧縮機のようにガス流路のガスを流路外へ洩らすことなく消音効果を十分に得ることができる。
【００６４】
また、図５に示す変形例のように、消音部材（６０）の外側層（６３）の上面とカバー部材（７０）との間に上部空間（７１）を設けるようにしてもよい。この変形例では、上部空間（７１）と凹部（５２）の内部とを連通させる上部連通路（７２）が消音部材（６０）に形成されている。
【００６５】
この場合、吐出ガス流路（５６）の吐出ガスが消音部材（６０）の内側層（６２）及び外側層（６３）を通過して上部空間（７１）に流入し、このときに膨張作用による消音効果が得られる。その後、上部空間（７１）に流入した吐出ガスは、上部連通路（７２）を流れて凹部（５２）の内部へ流入する。この凹部（５２）の内部に流入した吐出ガスは連通路（５１）を流れて第２室（４）へ流入し、吐出管（１２）を流れて密閉容器（１０）の外部へ導出される。
【００６６】
前記のように吐出ガス流路（５６）の吐出ガスが消音部材（６０）を通過して第２室（４）へ流れるようになっている。このため、消音部材（６０）の各空孔（６２ａ），（６３ａ）に冷凍機油が浸入しても、該冷凍機油は吐出ガスの流れにより第２室（４）に導かれる。これにより、消音部材（６０）の各空孔（６２ａ），（６３ａ）に冷凍機油が詰った状態となることはなく、消音効果の低下を未然に防止できる。
【００６７】
【発明の効果】
以上説明したように、請求項１の発明に係る圧縮機によると、消音部材（６０）を多孔質材料から構成し、消音部材（６０）のガス流路（５６）に臨む面側に、内部に形成した第１空孔（６３ａ）よりも小さくかつ該第１空孔（６３ａ）とガス流路（５６）とを連通させる第２空孔（６２ａ）を形成したので、消音部材（６０）にガス流路（５６）へ開口するヘルムホルツ共鳴器（６４）が構成される。これにより、ガス流路（５６）を流れるガスの騒音の音波が内側層（６２）及び外側層（６３）の空孔（６２ａ），（６３ａ）へ侵入して共鳴する。その結果、騒音の音エネルギが減少し、よって、消音効果が十分に得られて騒音を低減できる。
【００６８】
請求項２記載の発明によると、消音部材（６０）の外側層（６３）に第１空孔（６３ａ）を形成する一方、内側層（６２）に第２空孔（６２ａ）を形成したので、外側層（６３）の第１空孔（６３ａ）及び内側層（６２）の第２空孔（６２ａ）によりヘルムホルツ共鳴器（６４）が構成される。このヘルムホルツ共鳴器（６４）により、ガス流路（５６）を流れるガスの騒音を低減できる。
【００６９】
請求項３記載の発明によると、内側層（６２）及び外側層（６３）を別々に形成した後、重ね合わせることにより消音部材（６０）を得ることができる。このため、内側層（６２）及び外側層（６３）で空孔（６２ａ），（６３ａ）の大きさが異なる消音部材（６０）を容易に形成することができる。
【００７０】
請求項４記載の発明によると、消音部材（６０）の外側層（６３）を発泡金属から構成したので、消音部材（６０）に大きさの異なるヘルムホルツ共鳴器（６４）を容易に構成することができる。そして、周波数の異なる音波が対応するヘルムホルツ共鳴器（６４）でそれぞれ共鳴して音エネルギが減少し、よって、幅広い周波数帯の騒音を低減できる。
【００７１】
請求項５記載の発明によると、消音部材（６０）の内側層（６２）をパンチングメタルから構成したので、消音部材（６０）のコストを低廉化できる。
【００７２】
請求項６記載の発明によると、消音部材（６０）を吐出ガス流路（５６）に臨むように設けたので、吐出ガス流路（５６）を流れる吐出ガスの圧力脈動に起因する騒音を低減できる。
【００７３】
請求項７記載の発明によると、消音部材（６０）の内側層（６２）を吐出ガス流路（５６）に臨ませたので、吐出ガス流路（５６）を流れる吐出ガスの圧力脈動に起因する騒音を低減できる。また、密閉容器（１０）の内部空間に消音部材（６０）の外側層（６３）を臨ませたので、吐出ガス流路（５６）を流れる吐出ガスの一部が消音部材（６０）を通過して密閉容器（１０）の内部空間に洩れる。このときに吐出ガスが膨張するため、消音部材（６０）に膨張作用による消音効果が付加され、騒音をより一層低減できる。
【００７４】
請求項８記載の発明によると、消音部材（６０）の内側層（６２）を吐出ガス流路（５６）に臨ませたので、吐出ガス流路（５６）を流れる吐出ガスの圧力脈動に起因する騒音を低減できる。また、消音部材（６０）により吐出ガス流路（５６）と低圧室（３Ｌ）とを仕切り、消音部材（６０）の外側層（６３）の外面をカバー部材（７０）により覆ったので、吐出ガス流路（５６）の吐出ガスの一部が低圧室（３Ｌ）へ洩れ出すことはない。このため、従来例の圧縮機のように、ガス流路のガスを流路外へ洩らすことなく、圧力脈動に起因する騒音を低減できる。
【００７５】
請求項９記載の発明によると、消音部材（６０）の外側層（６３）とカバー部材（７０）との間の空間（７１）を密閉容器（１０）の高圧室（４）に連通させたので、吐出ガス流路（５６）を流れる吐出ガスが消音部材（６０）を通過してカバー部材（７０）との間の空間（７１）に流入した後、高圧室（４）へ流れる。従って、消音部材（６０）の空孔（６２ａ），（６３ａ）に冷凍機油が浸入した場合に、該冷凍機油が吐出ガスの流れにより密閉容器（１０）の高圧室（４）に導かれる。その結果、消音部材（６０）の空孔（６２ａ），（６３ａ）に冷凍機油が詰まることはなく、消音効果が低下するのを未然に防止できる。
【図面の簡単な説明】
【図１】本発明の実施形態に係る圧縮機の概略構成を示す縦断面図である。
【図２】消音部材の平面図である。
【図３】消音部材の縦断面図である。
【図４】他の実施形態に係る図１相当図である。
【図５】他の実施形態の変形例に係る図１相当図である。
【符号の説明】
（１）      圧縮機
（３Ｌ）    第１室（低圧室）
（４）      第２室（高圧室）
（１０）    密閉容器
（１１）    吸入管
（１２）    吐出管
（２０）    圧縮機構
（２６）    圧縮室
（５０）    吸入ガス流路
（５６）    吐出ガス流路
（６０）    消音部材
（６２）    内側層
（６２ａ）    空孔
（６３）    外側層
（６３ａ）    空孔
（７０）    カバー部材
（７１）    上部空間
【図１】
2004360630.tif 000003
【図２】
2004360630.tif 000004
【図３】
2004360630.tif 000005
【図４】
2004360630.tif 000006
【図５】
2004360630.tif 000007